(57)【要約】      （修正有）【課題】傘の布全体から光に反応し、再帰反射して夜間に優れた視認性を発揮し、かつ素材も軽量で耐久性があり、利便性の高い傘を提供する。【解決手段】雨水を受ける小間（布部材）を親骨（骨部材）に取り付ける。小間（布部材）は光に反応して輝く繊維１１新素材イルミナイトを採用。反射鏡となるサテライトデイシュ１２は繊維１１の織りの中に埋め込まれ、基布の特性である通気性・耐水性・耐風性を損なわない。その特性は受けた光りを輝くように布部分全体から再帰反射１０でき、さらに軽量で傘の機能として利便性が高いものとする。【選択図】図３
0003161977.tif 000002
【実用新案登録請求の範囲】
【請求項１】
（３）親骨（骨部材）に取り付けた（４）小間（布材材）はどの方向から光が当っても輝くように（１０）再帰反射して、夜間に優れた視認性を発揮する布、新素材イルミナイト、（１１）繊維に無数に織り込まれて、蜂の巣状に細かく配置されたお碗型の（１２）サテライトテイッシュが皿状の反射鏡となって、受けた光を高効率で光源体に向けて（１０）再帰反射することにより、例えば夜間に自動車からのヘッドライトを受けた場合確実に視認できることで、この傘を使用して身の安全確保がより高くなる、夜には反射機能が歩行者の安全性が高い傘として機能を持たせたことで交通事故防止に効果があることを特徴とする反射傘。
【考案の詳細な説明】
【技術分野】
【０００１】  本考案は、夜間に歩行者が使用することで、自動車のヘッドライト等に輝くように（１０）再帰反射することで運転者が歩行者を視認でき、交通事故を防止できる反射傘に関する。
【背景技術】
【０００２】従来の傘は、（３）親骨（骨部材）に固定し取り付けた、布に反射するテープやガラスビーズなどを貼り付けたもの発光剤を塗布するなどや電球を取り付けたものなどは在ったが、（４）小間（布部材）（１１）繊維  自身が光に反応して反射するタイプなどは無かった。
【先行技術文献】
【実用新案登録文献】
第３１１１４５１号
【考案の開示】
【考案が解決しようとする課題】
【０００３】傘としては上から降る雨に対して体が濡れないように使用するものが存在していた、光に反射して夜間時にて使用することで交通安全の確保に適した軽い傘は無かった。
【課題を解決するための手段】
【０００４】（４）小間（布部材）が光に反応する（１２）サテライトデイッシュ素材（１１）繊維の特性［通気性・耐水性・耐風性］を損なわない、さらに軽いのでこれを採用したことで問題を解決した耐久性のある軽い傘。
【考案の効果】
【０００５】雨天の夜は、車の運転手から見て歩行者の確認がしにくいものである、（４）小間（布部材）を光に反応する（１２）サテライトデイッシュ（１１）繊維にしたのでこの傘を持つ歩行者の視認が容易となり夜間外出に交通事故防止の効果があり、その利便性は雨天の夜でも安全に外出しやすい傘を提供する。
【図面の簡単な説明】
【０００６】以下、図１に示すように番号部分を説明する。
（１）は石突き傘の一番上の部分（２）上ろくろで石突きと（３）（４）親骨と小間の間に有り雨水が入るのを防止している（５）露先は親骨の先端部分をカバーしている（６）下はじきはここで止めてあるので押さえて傘を開く（７）中棒（シャフト）にて全体を支えている（８）玉留にて（５）露先を束ねる（９）手元（ハンドル）この部分を手に持って使用する、（１０）再帰反射の絵図（１１）繊維の拡大（１２）サテライトイテッシュの状態絵図である。
【実施例】
【０００７】傘の（３）親骨（骨部材）に縫い付けた（４）小間（布部材）（１１）繊維は光に反応して輝くように光る。
【産業上の利用可能性】
【０００８】本考案は夜の暗い道を車のヘッドライトに照らされたとき視認でき確実に存在を示す事で安全を確保、交通事故防止が出来る為の傘として広く適応が可能である。
【図面の簡単な説明】
【０００９】
【図１】傘全体の図、
【図２】傘の親骨（骨部材）に小間（布部材）を縫いつけた斜視図である。
【図３】小間（布部材）繊維の拡大図である。
【符号の説明】（１）石突き
（２）上ろくろ
（３）親骨（骨部材）
（４）小間（布部材）
（５）露先
（６）下はじき
（７）中棒（シャフト）
（８）玉留
（９）手元（ハンドル）
（１０）再帰反射
（１１）繊維
（１２）サテライトテイッシュ
【図１】
0003161977.tif 000003
【図２】
0003161977.tif 000004
【図３】
0003161977.tif 000005
【手続補正書】
【提出日】平成22年5月28日(2010.5.28)
【手続補正１】
【補正対象書類名】実用新案登録請求の範囲
【補正対象項目名】全文
【補正方法】変更
【補正の内容】
【実用新案登録請求の範囲】
【請求項１】
骨部材から成る親骨（３）と布部材から成る小間（４）部分に夜間に視認性を発揮する新素材イルミナイト繊維（１１）を縫い付けてなる傘であって新素材イルミナイト繊維（１１）は、その繊維の間に蜂の巣状に細かく配置されたお碗型状のサテライトテッシュ（１２）が皿状の反射鏡（１２）となって、無数に織り込まれてなり受けた光を高効率で光源体に向けて再帰反射（１０）する、どの方向から光が当っても輝くように再帰反射（１０）する、これを特徴とする反射傘
【手続補正２】
【補正対象書類名】明細書
【補正対象項目名】全文
【補正方法】変更
【補正の内容】
【考案の詳細な説明】
【技術分野】
【０００１】本考案は、夜間に歩行者が使用することで、自動車のヘッドライト等に輝くように再帰反射（１０）することで運転者が歩行者を視認でき、交通事故を防止できる反射傘に関する。
【背景技術】
【０００２】従来の傘は、骨部材から成る親骨（３）に固定し取り付けた、布に反射するテープやガラスビーズなどを貼り付けたもの発光剤を塗布するなどや電球を取り付けたものなどは在ったが、布部材から成る小間（４）の場所に縫い付けた繊維自身が光に反応して反射するタイプなどは無かった。
【先行技術文献】
【実用新案登録文献】
第３１１１４５１号
【考案の開示】
【考案が解決しようとする課題】
【０００３】傘としては上から降る雨に対して体が濡れないように使用するものが存在していた、光に反射して夜間時にて使用することで交通安全の確保に適した傘は無かった。
【課題を解決するための手段】
【０００４】布部材から成る小間（４）の場所に縫い付けた光に反応する新素材サテライトデイッシュ繊維（１１）の特性  通気性・耐水性・耐風性を損なわない、さらに軽いのでこれを採用したことで問題を解決した耐久性のある軽い傘。
【考案の効果】
【０００５】雨天の夜は、車の運転手から見て歩行者の確認がしにくいものである、布部材から成る布部材から成る小間（４）の場所に縫い付けた光に反応する  新素材サテライトデイッシュ繊維（１１）にしたのでこの傘を持つ歩行者の視認が容易となり夜間外出に交通事故防止の効果があり、その利便性は雨天の夜でも安全に外出しやすい傘を提供する。
【実施例】
【０００６】傘の骨部材から成る親骨（３）に光に反応して輝くように光るサテライトテッシュ（１２）を縫いこまれた新素材イルミナイト繊維（１１）を布部材から成る小間（４）部分に縫い付けた。
【産業上の利用可能性】
【０００７】本考案は夜の暗い道を車のヘッドライトに照らされたとき視認でき確実に存在を示す事で安全を確保、交通事故防止が出来る為の傘として広く適応が可能である。
【図面の簡単な説明】
【０００８】
【図１】傘全体の図、
【図２】傘の骨部材から成る親骨に布部材から成る小間部分に繊維を縫いつけた斜視図である。
【図３】布部材から成る小間部分に縫い付けた繊維の拡大図である。
【符号の説明】
【０００９】（１）  石突き
（２）  上ろくろ
（３）  骨部材から成る親骨
（４）  布部材から成る小間
（５）  露先
（６）  下はじき
（７）  中棒（シャフト）
（８）  玉留
（９）  手元（ハンドル）
（１０）再帰反射
（１１）新素材イルミナイト繊維
（１２）サテライトテイッシュ
【手続補正３】
【補正対象書類名】図面
【補正対象項目名】全図
【補正方法】変更
【補正の内容】
【図１】
0003161977.tif 000006
【図２】
0003161977.tif 000007
【図３】
0003161977.tif 000008